(57)【要約】【課題】ユーザが動画取得中に新たな動画ファイルが作成されたことに気づくことができるようにする。【解決手段】画像記録装置１によれば、ＣＰＵ１１は、動画撮影により順次取得される動画データを予め定められた記録制限を超えない範囲で動画ファイルに記録し、記録制限を超えた場合にはその後に取得される動画データを新たな動画ファイルに記録する。また、ＣＰＵ１１は、動画撮影により取得される動画データの動画ファイルへの記録状況を取得し、取得した記録状況及び記録制限に基づいて、動画撮影中における動画ファイルの作成状況を示す所定の情報、例えば、動画撮影によって作成された動画ファイルの数、現在記録中の動画ファイルにおける動画データの記録時間等の表示部１５への表示を制御する。【選択図】図３
2019050476.tif 000002
【特許請求の範囲】
【請求項１】
動画データを順次取得する動画取得手段と、
動画ファイルを作成する作成手段と、
前記動画取得手段により順次取得される動画データを予め定められた記録制限を超えない範囲で前記作成手段により作成された動画ファイルに記録し、前記記録制限を超える場合にはその後に取得される動画データを前記作成手段により作成された新たな動画ファイルに記録する記録手段と、
前記動画取得手段による動画データの取得中における動画ファイルの作成状況を示す所定の情報を報知する報知手段と、
を備える画像記録装置。
【請求項２】
前記記録制限は、前記動画ファイルに記録可能な最大のデータサイズ又は最大記録時間である請求項１に記載の画像記録装置。
【請求項３】
前記報知手段は、前記動画取得手段により取得される動画データの動画ファイルへの記録状況を取得し、取得した前記記録状況及び前記記録制限に基づいて、前記動画取得手段による動画データの取得中における動画ファイルの作成状況を示す所定の情報を報知する請求項１又は２に記載の画像記録装置。
【請求項４】
前記記録状況は、現在記録中の動画ファイルに記録された動画データのフレーム画像数又は現在記録中の動画ファイルにおける動画データの記録時間である請求項３に記載の画像記録装置。
【請求項５】
前記報知手段により報知される前記動画ファイルの作成状況を示す所定の情報は、前記作成手段によって作成された動画ファイルの数、現在記録中の動画ファイルにおける動画データの記録時間のうち少なくとも一つを含む請求項１〜４のいずれか一項に記載の画像記録装置。
【請求項６】
前記報知手段は、前記動画ファイルの記録制限を超えた場合に、前記報知手段により動画ファイルの作成状況を報知する請求項１〜５のいずれか一項に記載の画像記録装置。
【請求項７】
前記報知手段は、前記動画ファイルの作成状況を示す所定の情報を表示部への表示を制御する表示制御手段を備え、
前記表示制御手段は、前記動画ファイルの記録制限を超えた場合に、前記表示部に前記記録時間の表示をリセットさせる請求項５に記載の画像記録装置。
【請求項８】
動画撮影を行う撮影手段を更に備え、
前記動画取得手段は、前記撮影手段による動画撮影により前記動画データを順次取得する請求項１〜７のいずれか一項に記載の画像記録装置。
【請求項９】
前記記録制限をユーザが設定するための設定手段を備える請求項１〜８のいずれか一項に記載の画像記録装置。
【請求項１０】
動画データを順次取得する動画取得工程と、
動画ファイルを作成する作成工程と、
前記動画取得工程により順次取得される動画データを予め定められた記録制限を超えない範囲で前記作成工程により作成された動画ファイルに記録し、前記記録制限を超える場合にはその後に取得される動画データを前記作成工程により作成された新たな動画ファイルに記録する記録工程と、
前記動画取得工程による動画データの取得中における動画ファイルの作成状況を示す所定の情報を報知する報知工程と、
を含む表示制御方法。
【請求項１１】
コンピュータを、
動画データを順次取得する動画取得手段、
動画ファイルを作成する作成手段、
前記動画取得手段により順次取得される動画データを予め定められた記録制限を超えない範囲で前記作成手段により作成された動画ファイルに記録し、前記記録制限を超える場合にはその後に取得される動画データを前記作成手段により作成された新たな動画ファイルに記録する記録手段、
前記動画取得手段による動画データの取得中における動画ファイルの作成状況を示す所定の情報を報知する報知手段、
として機能させるためのプログラム。
【発明の詳細な説明】
【技術分野】
【０００１】
本発明は、画像記録装置、表示制御方法及びプログラムに関する。
【背景技術】
【０００２】
従来、録画時間が所定の時間経過する毎に新規ファイルを作成して記録する動画像記録装置が知られている。（例えば、特許文献１参照）。
【０００３】
また、現在のファイルシステムは、１ファイル当たりの記録可能なデータサイズ（ファイルサイズ）に制限が存在する。例えば、ＦＡＴ（File Allocation Table）３２でフォーマットされた記録媒体には、１ファイル当たり４ＧＢを超えて記録できない。また、動画を記録する画像記録装置において、１つの動画ファイルの記録時間に制限をもたせたものが存在する。動画取得中に動画ファイルのファイルサイズや記録時間が制限を超えた場合、続けて次のファイルが生成され、これに動画データが記録される。
【先行技術文献】
【特許文献】
【０００４】
【特許文献１】特開平１１−３４１４３４号公報
【発明の概要】
【発明が解決しようとする課題】
【０００５】
しかしながら、動画取得中に新たな動画ファイルが作成された場合、ユーザは新たな動画ファイルが作成されたことに気づくことができなかった。
【０００６】
本発明は、このような問題点に鑑みてなされたものであり、ユーザが動画取得中に新たな動画ファイルが作成されたことに気づくことができるようにすることを目的とする。
【課題を解決するための手段】
【０００７】
上記課題を解決するため、請求項１に記載の発明の画像記録装置は、
動画データを順次取得する動画取得手段と、
動画ファイルを作成する作成手段と、
前記動画取得手段により順次取得される動画データを予め定められた記録制限を超えない範囲で前記作成手段により作成された動画ファイルに記録し、前記記録制限を超える場合にはその後に取得される動画データを前記作成手段により作成された新たな動画ファイルに記録する記録手段と、
前記動画取得手段による動画データの取得中における動画ファイルの作成状況を示す所定の情報を報知する報知手段と、
を備える。
【発明の効果】
【０００８】
本発明によれば、ユーザが動画取得中に新たな動画ファイルが作成されたことに気づくことが可能となる。
【図面の簡単な説明】
【０００９】
【図１】本実施形態の画像記録装置の機能的構成を示すブロック図である。
【図２】図１のＣＰＵにより実行される画像記録制御処理を示すフローチャートである。
【図３】動画撮影中に表示部１５に表示される動画撮影画面の変化を示す図である。
【発明を実施するための形態】
【００１０】
以下、添付図面を参照して本発明に係る実施形態を詳細に説明する。なお、本発明は、図示例に限定されるものではない。
【００１１】
［画像記録装置１の構成］
画像記録装置１は、ユーザによる撮影指示に従って動画撮影を行い、得られた動画データを記録する装置である。
図１は、画像記録装置１の機能的構成を示すブロック図である。図１に示すように、画像記録装置１は、ＣＰＵ１１、ＲＡＭ１２、記憶部１３、操作部１４、表示部１５、撮像部１６、音声入力部１７、記録部１８、通信部１９等を備えて構成されている。ＣＰＵ１１と各部はバスにより接続されている。
【００１２】
ＣＰＵ１１は、記憶部１３に記憶されている各種のプログラムを実行して所定の演算や各部の制御を行うプロセッサである。例えば、ＣＰＵ１１は、操作部１４のＲＥＣボタンの押下により動画撮影が指示されると、後述する画像記録制御処理を実行し、作成手段、記録手段、報知手段、表示制御手段として機能する。
【００１３】
ＲＡＭ１２は、ＣＰＵ１１に作業用のメモリ空間を提供し、データを一時的に記憶する。
【００１４】
記憶部１３は、不揮発性の半導体メモリやハードディスク等により構成される。記憶部１３には、ＣＰＵ１１で実行されるシステムプログラムや各種処理プログラム、これらのプログラムの実行に必要なデータ等が記憶されている。
【００１５】
例えば、記憶部１３には、設定情報１３１が記憶されている。設定情報１３１には、記録媒体１８１に記録する動画ファイルの記録制限情報（１つの動画ファイルに記録可能なデータサイズ（ファイルサイズ）の制限情報及び記録時間の制限情報）や動画のフレームレート、ビットレートが含まれる。本実施形態では、記録媒体１８１にファイルを書き込む際のファイルシステムとして、例えば、ＦＡＴ３２が使用されているものとし、デフォルトでは、ファイルサイズの制限情報として４ＧＢ、記録時間の制限情報（制限時間）として２９分５９秒が記憶されているものとするが、これに限定されるものではない。また、設定情報１３１は、操作部１４によりユーザが設定することが可能であり、制限情報については、デフォルトの制限情報を超えない範囲でユーザが自由に設定可能である。
【００１６】
操作部１４は、動画撮影の開始を指示するためのＲＥＣボタンや動画撮影の終了を指示するためのＲＥＣ終了ボタンを始めとする各種機能ボタンを備え、ユーザによる各ボタンの押下入力を受け付けてその操作情報をＣＰＵ１１に出力する。また、操作部１４は、表示部１５の表面を覆うように透明電極を格子状に配置したタッチパネル等を有し、手指やタッチペン等による各種操作を検出し、その操作情報をＣＰＵ１１に出力する。  
【００１７】
表示部１５は、ＬＣＤ（Liquid Crystal Display）等により構成され、ＣＰＵ１１からの表示制御信号に従って、画面上に各種表示を行う。
【００１８】
撮像部１６は、光学レンズユニット、ＣＣＤ（Charge Coupled Device）やＣＭＯＳ（Complementary Metal-oxide Semiconductor）等のイメージセンサ等からなる撮像素子、Ａ／Ｄ変換回路等を備えて構成され、レンズを通過した光学像を撮像素子により２次元の画像信号に変換し、動画像の画像データ（フレーム画像）を取得する。撮像部１６は、動画取得手段、撮影手段として機能する。
【００１９】
音声入力部１７は、マイク等により構成され、入力された音声を電気信号に変換してＣＰＵ１１に出力する。
【００２０】
記録部１８は、メモリカード等により構成される記録媒体１８１が装着可能であり、ＣＰＵ１１からの指示に従って記録媒体１８１にファイルを書き込む。
【００２１】
通信部１９は、外部の機器と無線又は有線によりデータ通信を行うためのインターフェースである。
【００２２】
［画像記録装置１の動作］
次に、画像記録装置１の動作について説明する。
図２は、画像記録制御処理を示すフローチャートである。画像記録制御処理は、操作部１４のＲＥＣボタンが押下され、動画撮影が指示された場合に、ＣＰＵ１１と記憶部１３に記憶されているプログラムとの協働により実行される。
【００２３】
まず、ＣＰＵ１１は、表示部１５に動画撮影画面１５１を表示させる（ステップＳ１）。
図３は、動画撮影中に表示部１５に表示される動画撮影画面１５１を示す図である。図３に示すように、動画撮影画面１５１には、動画撮影中であることを示すＲＥＣ表示１５１ａと、撮影された動画像１５１ｂと、記録時間表示１５１ｃと、ファイル数表示１５１ｄと、が表示される。記録時間表示１５１ｃは、現在記録中の動画ファイルにおける動画データの記録時間を表示したものである。ファイル数表示１５１ｄは、動画撮影により作成された動画ファイルの数を表示したものである。ステップＳ１においては、記録時間表示１５１ｃ及びファイル数表示１５１ｄには０が表示される。
【００２４】
次いで、ＣＰＵ１１は、ファイルオープンが可能であるか否かを判断する（ステップＳ２）。ここで、ファイルオープンとは、データ（ここでは動画データ）を書き込むためのファイルを作成して、データを書き込めるようにすることをいう。ステップＳ２において、ＣＰＵ１１は、例えば、記録媒体１８１のセクタが壊れていてファイルを作成できない場合や、同時に書き込み可能なファイル数を超えているなどの所定の状態に該当する場合、ファイルオープンが可能ではないと判断する。
【００２５】
ファイルオープンが可能ではないと判断した場合（ステップＳ２；ＮＯ）、ＣＰＵ１１は、エラーにより処理を終了する。
【００２６】
ファイルオープンが可能であると判断した場合（ステップＳ２；ＹＥＳ）、ＣＰＵ１１は、ＲＡＭ１２に動画ファイルをオープンし（ステップＳ３）、表示部１５にファイル数表示１５１ｄを１カウントアップさせる（ステップＳ４）。
【００２７】
次いで、ＣＰＵ１１は、フレーム数カウンタを０に初期化する（ステップＳ５）。フレーム数カウンタは、動画撮影により取得されたフレーム画像数をカウントするためのＲＡＭ１２上の領域である。
【００２８】
次いで、ＣＰＵ１１は、表示部１５に記録時間表示１５１ｃをリセットさせる（ステップＳ６）。
【００２９】
次いで、ＣＰＵ１１は、「ファイルサイズ＜４ＧＢ」かつ「記録時間＜制限時間」であるか否かを判断する（ステップＳ７）。
ステップＳ７において、ＣＰＵ１１は、例えば、設定情報１３１のフレームレート及びビットレートに基づいて、設定情報１３１のファイルサイズ制限（４ＧＢ）内で記録可能な最大のフレーム画像数を算出する。そして、フレーム数カウンタの値が最大フレーム画像数より小さい場合、ファイルサイズ＜４ＧＢであると判断する。
また、ＣＰＵ１１は、フレーム数カウンタの値とフレームレートに基づいて、動画ファイルにおける動画データの記録時間を算出し、算出した記録時間が設定情報１３１の制限時間より小さい場合、記録時間＜制限時間と判断する。
なお、フレーム数カウンタの値及び動画ファイルにおける動画データの記録時間は、動画撮影により得られた動画データの動画ファイルへの記録状況を示す情報である。
【００３０】
「ファイルサイズ＜４ＧＢ」かつ「記録時間＜制限時間」であると判断した場合（ステップＳ７；ＹＥＳ）、ＣＰＵ１１は、撮像部１６から動画撮影により得られたフレーム画像の画像データを取得するとともに、音声入力部１７により音声データを取得し（ステップＳ８）、フレーム数カウンタを１カウントアップする（ステップＳ９）。画像データは、例えば、ＲＧＢからＹＵＶに変換することとしてもよい。次いで、ＣＰＵ１１は、取得した画像データと音声データをエンコード（圧縮）し（ステップＳ１０）、画像データと音声データを結合（ＭＵＸ）する（ステップＳ１１）。そして、得られた動画データをＲＡＭ１２にオープンしている動画ファイルに記録するとともに、動画データに基づく動画像を表示部１５の動画像１５１ｂに表示させる（ステップＳ１２）。
【００３１】
次いで、ＣＰＵ１１は、１秒分のＭＵＸが終了したか否かを判断する（ステップＳ１３）。１秒分のＭＵＸが終了していないと判断した場合（ステップＳ１３；ＮＯ）、ＣＰＵ１１は、ステップＳ７に戻り、ステップＳ７〜Ｓ１３を繰り返し実行する。
【００３２】
１秒分のＭＵＸが終了したと判断した場合（ステップＳ１３；ＹＥＳ）、ＣＰＵ１１は、フレーム数カウンタのフレーム画像数に基づいて、現在記録中の動画ファイルにおける動画データの記録時間を算出する（ステップＳ１４）。
ステップＳ１４において、ＣＰＵ１１は、例えば、フレーム画像数をフレームレートで除算することにより、現在記録中の動画ファイルにおける動画データの記録時間を算出する。
【００３３】
そして、ＣＰＵ１１は、算出された記録時間により表示部１５の記録時間表示１５１ｃを更新する（ステップＳ１５）。
【００３４】
次いで、ＣＰＵ１１は、操作部１４のＲＥＣ終了ボタンが押下されたか否かを判断する（ステップＳ１６）。ＲＥＣ終了ボタンが押下されていないと判断した場合（ステップＳ１６；ＮＯ）、ＣＰＵ１１は、ステップＳ７に戻る。
【００３５】
ステップＳ７において、「ファイルサイズ＜４ＧＢ」かつ「記録時間＜制限時間」ではないと判断した場合（ステップＳ７；ＮＯ）、ＣＰＵ１１は、ＲＡＭ１２の動画ファイルをクローズして記録部１８により記録媒体１８１に記録し（ステップＳ１７）、ステップＳ２に戻る。
すなわち、ＣＰＵ１１は、作成中の動画ファイルのファイルサイズ又は記録時間が制限を超えた場合、作成中の動画ファイルをクローズし、新たに動画ファイルをオープンして、ファイル数を加算して表示するとともに、記録時間の表示をリセットする。
【００３６】
操作部１４のＲＥＣ終了ボタンが押下されたと判断した場合（ステップＳ１７；ＹＥＳ）、ＣＰＵ１１は、ＲＡＭ１２の動画ファイルをクローズして記録部１８により記録媒体１８１に記録し（ステップＳ１８）、画像記録制御処理を終了する。
【００３７】
上記画像記録制御処理により、図３に示すように、動画撮影開始時は記録時間表示１５１ｃとファイル数表示１５１ｄに０が表示され、記録時間の経過に伴い、記録時間表示１５１ｃがカウントアップされる。記録時間表示１５１ｃが制限時間までカウントされ（または、ファイルサイズが４ＧＢを超え）、次の動画ファイルがオープンされると、記録時間表示１５１ｃがリセットされるとともに、ファイル数表示１５１ｄが１カウントアップされる。したがって、動画撮影中に、現在記録中の動画ファイルにおける動画データの記録時間、動画撮影により作成されたファイル数等の、動画ファイルの作成状況をユーザが把握することができるので、ユーザが動画取得中（動画撮影中）に新たな動画ファイルが作成されたことに気づくことが可能となり、１回の動画撮影により複数の動画ファイルが作成されることによるユーザの混乱を防止することができる。
【００３８】
なお、図２の画像記録制御処理においては、動画撮影において、動画像及び音声の双方を取得して、動画像の画像データ及び音声データからなる動画データを動画ファイルに記録する場合を例にとり説明したが、動画データは動画像のみ（音声を含まない）としてもよい。この場合、図２のステップＳ８において、撮像部１６からフレーム画像の画像データを取得し（音声入力部１７はＯＦＦとする）、ステップＳ１０において、取得した画像データの圧縮を行い、ステップＳ１１を省略し、ステップＳ１２においてフレーム画像を表示部１５に表示させる。その他の処理は図３で説明した処理と同様である。
【００３９】
また、上記の画像記録制御処理においては、現在の動画ファイルの記録時間とファイル数の双方を表示することとしたが、少なくとも一方が表示されればよい。また、現在の動画ファイルの記録時間と併せて、動画撮影開始からのトータルの記録時間を表示部１５に表示させることとしてもよい。
【００４０】
以上説明したように、画像記録装置１によれば、ＣＰＵ１１は、動画撮影により順次取得される動画データを予め定められた記録制限を超えない範囲で動画ファイルに記録し、記録制限を超えた場合にはその後に取得される動画データを新たな動画ファイルに記録する。また、ＣＰＵ１１は、動画撮影により取得される動画データの動画ファイルへの記録状況を取得し、取得した記録状況及び記録制限に基づいて、動画撮影中における動画ファイルの作成状況を示す所定の情報、例えば、動画撮影によって作成された動画ファイルの数、現在記録中の動画ファイルにおける動画データの記録時間等の表示部１５への表示を制御する。
したがって、ユーザが動画取得中（動画撮影中）に新たな動画ファイルが作成されたことに気づくことが可能となり、１回の動画撮影により複数の動画ファイルが作成されることによるユーザの混乱を防止することができる。
【００４１】
また、ユーザ操作に応じて動画ファイルの記録制限を設定することができるので、ユーザが自由に動画ファイルのファイルサイズや記録時間を設定することが可能となる。
【００４２】
なお、上記実施形態における記述内容は、本発明に係る画像記録装置の好適な一例であり、これに限定されるものではない。
【００４３】
例えば、上記実施形態においては、画像記録装置１に表示部１５が備えられている場合を例にとり説明したが、表示部１５は、画像記録装置１とは別体の表示装置であってもよい。この場合、ＣＰＵ１１は、通信部１９を介して表示装置の表示を制御して、記録時間やファイル数等のファイルの作成状況を示す所定の情報を表示させる。
【００４４】
また、上記実施形態においては、動画ファイルの作成状況を示す所定の情報として、記録時間表示１５１ｃ及びファイル数表示１５１ｄの双方を表示することとしたが、いずれか一方であってもよいし、他の情報を含むものであってもよい。
【００４５】
また、上記実施形態においては、動画ファイルにおけるファイルサイズ及び記録時間を記録制限とすることとしたが、いずれか一方のみを記録制限としてもよい。
【００４６】
また、上記実施形態においては、撮像部を備える画像記録装置において動画データを記録する場合を例にとり説明したが、画像記録装置とは別体の撮影装置により順次取得される動画データを画像記録装置にて記録する場合に本発明を適用してもよい。
【００４７】
また、上記実施形態においては、表示により動画ファイルの作成状況を報知することとしたが、これに限定されず、例えば、音や光により報知することとしてもよい。
【００４８】
また、上記実施形態においては、動画ファイルの記録中に、常時動画ファイルの作成状況を示す所定の情報を表示することとして説明したが、動画ファイルの記録制限を超えた場合に、動画ファイルの作成状況を示す所定の情報を報知することとしてもよい。
【００４９】
また、例えば、上記の説明では、本発明に係るプログラムのコンピュータ読み取り可能な媒体としてハードディスクや半導体の不揮発性メモリ等を使用した例を開示したが、この例に限定されない。その他のコンピュータ読み取り可能な媒体として、ＣＤ−ＲＯＭ等の可搬型記録媒体を適用することが可能である。また、本発明に係るプログラムのデータを通信回線を介して提供する媒体として、キャリアウエーブ（搬送波）も適用される。
【００５０】
その他、画像記録装置を構成する各装置の細部構成及び細部動作に関しても、発明の趣旨を逸脱することのない範囲で適宜変更可能である。
【００５１】
本発明のいくつかの実施形態を説明したが、本発明の範囲は、上述の実施形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
［付記］
＜請求項１＞
動画データを順次取得する動画取得手段と、
動画ファイルを作成する作成手段と、
前記動画取得手段により順次取得される動画データを予め定められた記録制限を超えない範囲で前記作成手段により作成された動画ファイルに記録し、前記記録制限を超える場合にはその後に取得される動画データを前記作成手段により作成された新たな動画ファイルに記録する記録手段と、
前記動画取得手段による動画データの取得中における動画ファイルの作成状況を示す所定の情報を報知する報知手段と、
を備える画像記録装置。
＜請求項２＞
前記記録制限は、前記動画ファイルに記録可能な最大のデータサイズ又は最大記録時間である請求項１に記載の画像記録装置。
＜請求項３＞  
前記報知手段は、前記動画取得手段により取得される動画データの動画ファイルへの記録状況を取得し、取得した前記記録状況及び前記記録制限に基づいて、前記動画取得手段による動画データの取得中における動画ファイルの作成状況を示す所定の情報を報知する請求項１又は２に記載の画像記録装置。
＜請求項４＞
前記記録状況は、現在記録中の動画ファイルに記録された動画データのフレーム画像数又は現在記録中の動画ファイルにおける動画データの記録時間である請求項３に記載の画像記録装置。
＜請求項５＞
前記報知手段により報知される前記動画ファイルの作成状況を示す所定の情報は、前記作成手段によって作成された動画ファイルの数、現在記録中の動画ファイルにおける動画データの記録時間のうち少なくとも一つを含む請求項１〜４のいずれか一項に記載の画像記録装置。
＜請求項６＞
前記報知手段は、前記動画ファイルの記録制限を超えた場合に、前記報知手段により動画ファイルの作成状況を報知する請求項１〜５のいずれか一項に記載の画像記録装置。
＜請求項７＞
前記報知手段は、前記動画ファイルの作成状況を示す所定の情報を表示部への表示を制御する表示制御手段を備え、
前記表示制御手段は、前記動画ファイルの記録制限を超えた場合に、前記表示部に前記記録時間の表示をリセットさせる請求項５に記載の画像記録装置。
＜請求項８＞
動画撮影を行う撮影手段を更に備え、
前記動画取得手段は、前記撮影手段による動画撮影により前記動画データを順次取得する請求項１〜７のいずれか一項に記載の画像記録装置。
＜請求項９＞
前記記録制限をユーザが設定するための設定手段を備える請求項１〜８のいずれか一項に記載の画像記録装置。
＜請求項１０＞
動画データを順次取得する動画取得工程と、
動画ファイルを作成する作成工程と、
前記動画取得工程により順次取得される動画データを予め定められた記録制限を超えない範囲で前記作成工程により作成された動画ファイルに記録し、前記記録制限を超える場合にはその後に取得される動画データを前記作成工程により作成された新たな動画ファイルに記録する記録工程と、
前記動画取得工程による動画データの取得中における動画ファイルの作成状況を示す所定の情報を報知する報知工程と、
を含む表示制御方法。
＜請求項１１＞
コンピュータを、
動画データを順次取得する動画取得手段、
動画ファイルを作成する作成手段、
前記動画取得手段により順次取得される動画データを予め定められた記録制限を超えない範囲で前記作成手段により作成された動画ファイルに記録し、前記記録制限を超える場合にはその後に取得される動画データを前記作成手段により作成された新たな動画ファイルに記録する記録手段、
前記動画取得手段による動画データの取得中における動画ファイルの作成状況を示す所定の情報を報知する報知手段、
として機能させるためのプログラム。
【符号の説明】
【００５２】
１  画像記録装置
１１  ＣＰＵ
１２  ＲＡＭ
１３  記憶部
１３１  設定情報
１４  操作部
１５  表示部
１６  撮像部
１７  音声入力部
１８  記録部
１８１  記録媒体
１９  通信部
【図１】
2019050476.tif 000003
【図２】
2019050476.tif 000004
【図３】
2019050476.tif 000005